(57)【要約】  情報記録媒体、記録／再生装置及び記録／再生方法を提供する。  媒体に適用された所定機能を認識できない記録／再生装置であっても、媒体へのアクセスを制御可能に設定される共通情報を有するアクセス制御データ（ＡＣＤ）を記録するためのアクセス制御領域が媒体に設けられ、ＡＣＤは、媒体の再初期化時、ＡＣＤの削除如何を表す情報を提供するＡＣＤ属性情報を含む情報記録媒体である。これにより、ディスクの再初期化時に規格の異なるドライブシステムでも分かるディスクのアクセス制御に関する共通的な情報を記録しておくことによって、ディスクに適用された機能を認識するドライブシステムだけでなく、機能を認識できないドライブシステムも、かかる共通的な情報を参照して適切な行動を行うようにしてディスクの互換性を向上させる。
2008503848.tif 000002
【特許請求の範囲】
【請求項１】
記録及び／または再生装置に使用するための情報記録媒体において、
前記媒体に適用された所定機能を認識できない記録／再生装置であっても、前記媒体へのアクセスを制御可能に設定される共通情報を有するアクセス制御データ（ＡＣＤ）を記録するためのアクセス制御領域が前記媒体に設けられ、
前記ＡＣＤは、前記媒体の再初期化時に、前記ＡＣＤの削除如何を表す情報を前記記録及び／または再生装置に提供するＡＣＤ属性情報を含むことを特徴とする情報記録媒体。
【請求項２】
前記ＡＣＤ属性情報は、
前記媒体の再初期化時に前記ＡＣＤが削除されねばならないことを前記記録及び／または再生装置に表す情報、前記ＡＣＤが削除されてはならないことを表す情報、前記ＡＣＤの削除に関係ないことを前記記録及び／または再生装置に表す情報のうち少なくとも一つを含むことを特徴とする請求項１に記載の情報記録媒体。
【請求項３】
前記ＡＣＤ属性情報は、
前記ＡＣＤが生成されるとき、そのＡＣＤ属性情報が決まって固定されるか、または前記ＡＣＤが前記記録及び／または再生装置により使われる途中で変更可能であることを特徴とする請求項１に記載の情報記録媒体。
【請求項４】
前記ＡＣＤ属性情報が固定されるように、前記ＡＣＤ属性情報は、前記ＡＣＤが表す所定機能を識別するための識別子に内在されることを特徴とする請求項３に記載の情報記録媒体。
【請求項５】
前記ＡＣＤ属性情報が変更されるように、前記ＡＣＤ属性情報は、前記ＡＣＤの共通情報に含まれることを特徴とする請求項３に記載の情報記録媒体。
【請求項６】
前記媒体の再初期化時に、認識不能なＡＣＤの前記ＡＣＤ属性情報が、前記認識不能なＡＣＤが削除されねばならないことを表す場合、前記認識不能なＡＣＤはアクセス制御領域で削除され、認識不能なＡＣＤの前記ＡＣＤ属性情報が、前記認識不能なＡＣＤが削除されてはならないことを表す場合、前記認識不能なＡＣＤは削除されないことを特徴とする請求項２に記載の情報記録媒体。
【請求項７】
記録及び／または再生装置において、
情報記録媒体に適用された所定機能を認識できない記録／再生装置であっても、前記媒体へのアクセスを制御可能に設定される共通情報を有するＡＣＤを記録するためのアクセス制御領域が設けられた前記媒体に／からデータを書き込み／読み取りする書き込み／読み取り部と、
前記媒体の再初期化の動作中、前記ＡＣＤの削除如何を表す情報を提供するＡＣＤ属性情報を含む前記ＡＣＤを前記媒体に記録するように前記書き込み／読み取り部を制御する制御部とを備えることを特徴とする記録／再生装置。
【請求項８】
前記ＡＣＤ属性情報は、
前記媒体の再初期化時に前記ＡＣＤが削除されねばならないことを表す情報、前記ＡＣＤが削除されてはならないことを表す情報、前記ＡＣＤの削除に関係ないことを表す情報のうち少なくとも一つを含むことを特徴とする請求項７に記載の記録／再生装置。
【請求項９】
前記ＡＣＤ属性情報は、
前記ＡＣＤが生成されるとき、そのＡＣＤ属性情報が決まって固定されるか、または前記ＡＣＤを使用する途中で変更可能であることを特徴とする請求項７に記載の記録／再生装置。
【請求項１０】
前記ＡＣＤ属性情報が固定されるように、前記ＡＣＤ属性情報は、前記ＡＣＤが表す所定機能を識別するための識別子に内在されることを特徴とする請求項９に記載の記録／再生装置。
【請求項１１】
前記ＡＣＤ属性情報が変更されるように、前記ＡＣＤ属性情報は、前記ＡＣＤの共通情報に含まれることを特徴とする請求項９に記載の記録／再生装置。
【請求項１２】
前記制御部は、
前記媒体の再初期化時に、認識不能なＡＣＤの前記ＡＣＤ属性情報が、前記認識不能なＡＣＤが削除されねばならないことを表す場合、前記認識不能なＡＣＤをアクセス制御領域で削除し、認識不能なＡＣＤの前記ＡＣＤ属性情報が、前記認識不能なＡＣＤが削除されてはならないことを表す場合、前記認識不能なＡＣＤを前記アクセス制御領域で削除されないように前記書き込み／読み取り部をさらに制御することを特徴とする請求項８に記載の記録／再生装置。
【請求項１３】
記録及び／または再生方法において、
情報記録媒体に適用された所定機能を認識できない記録／再生装置であっても、前記媒体へのアクセスを制御可能に設定される共通情報を有するＡＣＤを記録するためのアクセス制御領域が設けられた前記媒体に、前記媒体の再初期化の動作中で前記ＡＣＤの削除如何を表す情報を提供するＡＣＤ属性情報を含む前記ＡＣＤを記録するステップを含むことを特徴とする記録／再生方法。
【請求項１４】
前記ＡＣＤ属性情報は、
前記媒体の再初期化時に前記ＡＣＤが削除されねばならないことを表す情報、前記ＡＣＤが削除されてはならないことを表す情報、前記ＡＣＤの削除に関係ないことを表す情報のうち少なくとも一つを含むことを特徴とする請求項１３に記載の記録／再生方法。
【請求項１５】
前記ＡＣＤが生成されるとき、そのＡＣＤ属性情報を固定させるステップ、または前記ＡＣＤを使用する途中で前記ＡＣＤ属性情報を変更するステップをさらに含むことを特徴とする請求項１３に記載の記録／再生方法。
【請求項１６】
前記ＡＣＤ属性情報を固定させるステップは、
前記ＡＣＤ属性情報が固定されるように、前記ＡＣＤ属性情報を前記ＡＣＤが表す所定機能を識別するための識別子に内在させることを特徴とする請求項１５に記載の記録／再生方法。
【請求項１７】
前記ＡＣＤ属性情報を変更するステップは、
前記ＡＣＤ属性情報が変更されるように、前記ＡＣＤ属性情報を前記ＡＣＤの共通情報に含めることを特徴とする請求項１５に記載の記録／再生方法。
【請求項１８】
前記記録ステップは、
前記媒体の再初期化時に、認識不能なＡＣＤの前記ＡＣＤ属性情報が、前記認識不能なＡＣＤが削除されねばならないことを表す場合、前記認識不能なＡＣＤをアクセス制御領域で削除し、認識不能なＡＣＤの前記ＡＣＤ属性情報が、前記認識不能なＡＣＤが削除されてはならないことを表す場合、前記認識不能なＡＣＤを前記アクセス制御領域で削除されないように制御するステップをさらに含むことを特徴とする請求項１４に記載の記録／再生方法。
【請求項１９】
記録及び／または再生装置を利用してリードイン領域、データ領域、リードアウト領域を備える情報記録媒体を再初期化する方法において、
前記情報記録媒体のディスク管理領域とアクセス制御領域とを読み取るステップと、
前記データ領域の少なくとも一つのスペア領域のサイズ及び前記データ領域でユーザデータ領域の開始及び終了アドレスを決定するステップと、
前記アクセス制御領域からＡＣＤ属性情報を含むＡＣＤを読み取るステップと、
前記ＡＣＤが前記記録及び／または再生装置により認識可能であるかによって、前記ＡＣＤ属性情報によって前記ＡＣＤを再初期化するステップと、
前記ディスク管理領域を削除し、再初期化されたＡＣＤを含む新たなディスク管理領域を書き込み、前記情報記録媒体の前記データ領域に少なくとも一つのスペア領域とユーザデータ領域とを割り当てるステップとを含むことを特徴とする方法。
【請求項２０】
前記ＡＣＤの再初期化ステップは、
前記情報記録媒体が再初期化され、前記ＡＣＤが認識不能であり、前記ＡＣＤ属性情報が、前記認識不能なＡＣＤが削除されねばならないことを表すとき、前記アクセス制御領域で前記ＡＣＤを削除するステップと、
前記情報記録媒体が再初期化され、前記ＡＣＤが認識不能であり、前記ＡＣＤ属性情報が、前記認識不能なＡＣＤが削除されてはならないことを表すとき、前記アクセス制御領域に前記ＡＣＤを維持するステップとを含むことを特徴とする請求項１９に記載の方法。
【請求項２１】
前記ＡＣＤの再初期化ステップは、
前記情報記録媒体が再初期化され、前記ＡＣＤが前記ＡＣＤ属性情報及びユーザまたは前記記録及び／または再生装置によって認識可能であるとき、前記アクセス制御領域に前記ＡＣＤをアップデートするステップを含むことを特徴とする請求項１９に記載の方法。
【請求項２２】
前記ＡＣＤ属性情報は、前記媒体が再初期化されるとき、前記ＡＣＤを削除することを表す情報、前記ＡＣＤを削除しないことを表す情報、ＡＣＤの削除が適切でないことを表す情報のうち少なくとも一つを含むことを特徴とする請求項１９に記載の方法。
【請求項２３】
前記新たなディスク管理領域を書き込むステップは、
前記新たなディスク管理領域にＡＣＤ状態ブロックをアップデートするステップをさらに含み、前記ＡＣＤ状態ブロックは、前記ＡＣＤを保存するアクセス制御領域の各ＡＣＤブロックの記録状態及び／または欠陥状態を表すことを特徴とする請求項１９に記載の方法。
【請求項２４】
前記ＡＣＤ状態ブロックは、
前記ＡＣＤブロックが前記ＡＣＤのために利用可能であること、前記ＡＣＤブロックが欠陥であること、前記ＡＣＤブロックが折衷されたＡＣＤを含むこと、及び前記ＡＣＤブロックが利用可能なＡＣＤを含むことのうち一つを表すことを特徴とする請求項２３に記載の方法。
【請求項２５】
前記ＡＣＤ状態ブロックをアップデートするステップは、
前記情報記録媒体の前記新たなディスク管理領域にディスク定義構造領域に前記ＡＣＤ状態ブロックを記録するステップを含むことを特徴とする請求項２３に記載の方法。
【請求項２６】
記録及び／または再生装置に利用するための情報記録媒体において、
前記媒体の所定機能が前記記録及び／または再生装置により認識不能であるとき、前記媒体のアクセスを制御するために、前記記録及び／または再生装置が使用するＡＣＤを保存するアクセス制御領域を備え、前記ＡＣＤは、前記記録及び／または再生装置に前記情報記録媒体の再初期化の間に前記ＡＣＤの状態を知らせるＡＣＤ属性情報を含むことを特徴とする情報記録媒体。
【請求項２７】
前記アクセス制御領域は、前記情報記録媒体のリードイン領域、リードアウト領域の少なくとも一つに配列されることを特徴とする請求項２６に記載の情報記録媒体。
【請求項２８】
前記ＡＣＤ属性情報は、
再初期化の間に前記ＡＣＤの削除を前記記録及び／または再生装置に表す情報、再初期化の間に前記ＡＣＤを削除しないことを前記記録及び／または再生装置に表す情報、及び前記再初期化の間に前記ＡＣＤの削除が関係ないことを前記記録及び／または再生装置に表す情報のうち少なくとも一つを含むことを特徴とする請求項２６に記載の情報記録媒体。
【請求項２９】
前記ＡＣＤは、
各ＡＣＤを区別するためのＡＣＤ識別子、前記記録及び／または再生装置により前記情報記録媒体のフォーマッティングの諾否を表すフォーマッティング情報、前記記録及び／または再生装置が前記ＤＭＡにデータを記録／再生するか、または前記ＤＭＡにデータを再生のみ可能であるか否かを表すＤＭＡ記録／再生可能如何情報、前記記録及び／または再生装置がスペア領域にデータを記録／再生するか、または前記スペア領域からデータを再生のみ可能であるか否かを表すスペア領域記録／再生可能如何情報、前記記録及び／または再生装置がユーザデータ領域にデータを記録／再生するか、または前記ユーザデータ領域からデータを再生のみ可能であるか否かを表すユーザデータ領域記録／再生可能如何情報、前記記録及び／または再生装置が予約領域にデータを記録／再生するか、または前記予約領域にデータを再生のみ可能であるか否かを表す予約領域記録／再生可能如何情報をさらに含むことを特徴とする請求項２６に記載の情報記録媒体。
【請求項３０】
前記ＡＣＤ属性情報は、前記ＡＣＤ識別子に保存されることを特徴とする請求項２９に記載の情報記録媒体。
【請求項３１】
前記ＡＣＤ属性情報は、前記ＡＣＤ識別子と別途のフィールドに保存されることを特徴とする請求項２９に記載の情報記録媒体。
【請求項３２】
前記ＡＣＤ属性情報は、前記アクセス制御領域の共通情報に保存されることを特徴とする請求項２９に記載の情報記録媒体。
【発明の詳細な説明】
【技術分野】
【０００１】
本発明は、ディスク分野に係り、特に記録／再生の互換性が保証されるようにディスクを再初期化可能にする情報記録媒体、記録／再生装置及び記録／再生方法に関する。
【背景技術】
【０００２】
最近、光ディスク技術と半導体技術との発達により、初期に光ディスクドライブシステムと光ディスクとを備える光システムのための規格が確定された後、新たな機能の追加が頻繁になり、かかる場合に初期に確定された規格はアップデートされねばならない。
【０００３】
図１は、従来技術による問題点を説明するための参考図である。
【０００４】
既存の規格を“ｏｌｄ規格”とし、ｏｌｄ規格に新たな機能が追加されてアップデートされた規格を“ｎｅｗ規格”としたとき、ｏｌｄ規格のディスク１２は、ｏｌｄ規格のドライブシステム１１で動作されるように設けられ、ｎｅｗ規格のディスク１４は、ｎｅｗ規格のドライブシステム１３で動作されるように設けられる。
【０００５】
ｏｌｄ規格及びｎｅｗ規格は、追加された新たな機能のため、記録／再生の互換性を維持することもあり、そうでないこともある。二つの規格が記録／再生の互換性をなすということは、ｏｌｄ規格のドライブシステム１１で使われるｏｌｄ規格のディスク１２がｎｅｗ規格のドライブシステム１３でも記録／再生可能であることを表し、また、ｎｅｗ規格のドライブシステム１３で使われるｎｅｗ規格のディスク１４がｏｌｄ規格のドライブシステム１１でも記録／再生可能であることを表す。
【０００６】
このように新たな機能の追加により、ｏｌｄ規格とｎｅｗ規格、二つの規格間の相互記録／再生の互換性を保証するためには、ｏｌｄ規格のドライブシステム１１に新たな機能が適用されたｎｅｗ規格のディスク１４がローディングされたとき、ｏｌｄ規格のドライブシステム１１がその新たな機能に対して適切に対応する必要性がある。このために、ｏｌｄ規格の制定当時、未来の新たな機能の追加に対する適切な対応を用意する必要性がある。また、かかる適切な対応方案は、ｎｅｗ規格で適用可能な一般論でなければならない。その理由は、ｎｅｗ規格に新たな機能を追加して、さらに新たな規格にアップデートされたときも適用可能でなければならないためである。
【０００７】
結局、このように新たな機能の追加による一連の色々な規格が相互記録／再生の互換性を有するためには、当初に規格を作るときに新たな機能の追加に対備せねばならない。このために、現在の規格が知っている機能に対してドライブシステムが動作せねばならない規則と、現在の規格が知らない未来に追加される機能に対して現在のドライブシステムが動作せねばならない規則とを定立する必要がある。すなわち、現在の規格に新たな機能が追加されて未来の規格が作られたとき、未来の規格のためのドライブシステムは、現在の規格のためのドライブシステムが新たな機能に対して行う動作をディスク上に保存すれば、これにより、現在の規格のドライブシステムに新たな機能が追加された未来のディスクがローディングされても、そのディスク上に保存された情報を読み取ってその新たな機能に対する動作を行える。すなわち、未来の規格のドライブシステムは、現在の規格のドライブシステムが未来の規格に追加された新たな機能自体は知らなくても、その新たな機能が適用されたディスクをどのように運用せねばならないかを知らせうる。
【０００８】
かかる背景下で、ディスクを使用していて再び初期化するためにディスクを再初期化する場合にも、色々な種類のドライブシステムが特定のディスクに適用された各機能に対して分からない機能があるとしても、そのディスクを最小限使用可能にディスクを再初期化可能にする方案が要求される。
【発明の開示】
【発明が解決しようとする課題】
【０００９】
本発明の目的は、規格が異なるドライブシステムでもディスクの互換性を向上させるための情報記録媒体、記録／再生装置及び記録／再生方法を提供することである。
【課題を解決するための手段】
【００１０】
前記目的を達成するための本発明の一つの特徴は、情報記録媒体において、前記媒体に適用された所定機能を認識できない記録／再生装置であっても、前記媒体へのアクセスを制御可能に設定される共通情報を有するアクセス制御データ（アクセスコントロール  データ：ＡＣＤ）を記録するためのアクセス制御領域が前記媒体に設けられ、前記ＡＣＤは、前記媒体の再初期化時、前記ＡＣＤの削除如何を表す情報を提供するＡＣＤ属性情報を含むことである。
【００１１】
前記ＡＣＤ属性情報は、前記媒体の再初期化時に前記ＡＣＤが削除されねばならないことを表す情報、前記ＡＣＤが削除されてはならないことを表す情報、前記ＡＣＤの削除に関係ないことを表す情報のうち少なくとも一つを含むことが望ましい。
【００１２】
また、前記ＡＣＤ属性情報は、前記ＡＣＤが生成されるとき、そのＡＣＤ属性情報が決まって固定されるか、または前記ＡＣＤを使用する途中で変更可能であることが望ましい。
【００１３】
前記ＡＣＤ属性情報が固定またはアップデートされるように、前記ＡＣＤ属性情報は、前記ＡＣＤが表す所定機能を識別するための識別子ＡＣＤ＿ＩＤに内在されることが望ましい。
【００１４】
前記ＡＣＤ属性情報が変更されるように、前記ＡＣＤ属性情報は、前記ＡＣＤの共通情報に含まれることが望ましい。
【００１５】
前記媒体の再初期化時に、認識不能なＡＣＤの前記ＡＣＤ属性情報が、前記認識不能なＡＣＤが削除されねばならないことを表す場合、前記認識不能なＡＣＤはアクセス制御領域で削除され、認識不能なＡＣＤの前記ＡＣＤ属性情報が、前記認識不能なＡＣＤが削除されてはならないことを表す場合、前記認識不能なＡＣＤは削除されないことが望ましい。
【００１６】
本発明の他の特徴は、記録／再生装置において、情報記録媒体に適用された所定機能を認識できない記録／再生装置であっても、前記媒体へのアクセスを制御可能に設定される共通情報を有するＡＣＤを記録するためのアクセス制御領域が設けられた前記媒体に／からデータを書き込み／読み取りする書き込み／読み取り部と、前記媒体の再初期化の動作中に前記ＡＣＤの削除如何を表す情報を提供するＡＣＤ属性情報を含む前記ＡＣＤを前記媒体に記録するように、前記書き込み／読み取り部を制御する制御部とを備えることである。
【００１７】
本発明のさらに他の特徴は、記録／再生方法において、情報記録媒体に適用された所定機能を認識できない記録／再生装置であっても、前記媒体へのアクセスを制御可能に設定される共通情報を有するＡＣＤを記録するためのアクセス制御領域が設けられた前記媒体に、前記媒体の再初期化の動作中に前記ＡＣＤの削除如何を表す情報を提供するＡＣＤ属性情報を含む前記ＡＣＤを記録するステップを含むことである。
【発明の効果】
【００１８】
本発明によれば、ディスクの再初期化時に規格の異なるドライブシステムでも分かるディスクのアクセス制御に関する共通的な情報を記録しておくことによって、ディスクに適用された機能を認識するドライブシステムだけでなく、機能を認識できないドライブシステムも、かかる共通的な情報を参照して適切な行動を行うようにしてディスクの互換性を向上させる。
【発明を実施するための最良の形態】
【００１９】
以下、添付された図面を参照して本発明を詳細に説明する。
【００２０】
記録型の情報記録媒体がドライブシステムにローディングされて空いている媒体と判断されれば、ディスクの使用のための初期化を行う。初期化以後、前記媒体は、ドライブシステムＡまたはドライブシステムＢで使用されつつ、前記媒体上にユーザの要求によりまたはそれぞれのドライブシステムの意図に合わせてＡＣＤ（前記媒体に適用された所定機能を認識できない記録／再生装置であっても、前記媒体へのアクセスを制御可能に設定される共通情報を有するＡＣＤ）が記録される。もし、ドライブシステムＡでは知らないが、ドライブシステムＢでは知るＡＣＤが記録されたとすれば、またそのような媒体がドライブシステムＡにローディングされたとすれば、ドライブシステムＡは、前記知らないＡＣＤの共通情報に保存されている知らない機能に対する行為を規定した情報を参考にして媒体を使用する。
【００２１】
ユーザが前記ドライブシステムＡにローディングされた前記媒体を再初期化する場合、前記媒体上に記録されているＡＣＤのうち、ドライブシステムＡが知っているＡＣＤは、知っている機能であるため、再初期化状況に合わせて、ユーザまたはドライブシステムの意図に合わせて適切に修正または削除可能である。しかし、ドライブシステムＡが知らない機能に対しては、文字通り知らない機能であり、前記ドライブシステムＡではないドライブシステムＢで設定されたＡＣＤであるので、ドライブシステムＡで前記知らないＡＣＤを修正または削除し難い。すなわち、当初に前記ＡＣＤがドライブシステムＢで記録されるとき、ドライブシステムＡでは削除されてはならないＡＣＤであるならば、前記ＡＣＤは、たとえ再初期化過程としても削除されてはならないためである。また、知っている機能としても、使用し続けるならば敢えて削除する必要はない。
【００２２】
このために、本発明では、前記ＡＣＤを再初期化過程で削除するか否か、または削除如何に関係なく再初期化以後に媒体の使用において関係ないかなどを区分するために、ＡＣＤ自体の属性情報の概念を導入する。
【００２３】
本発明によって、ＡＣＤ内に再初期化過程で削除するか否か、あるいは削除如何とは関係ないかを表すＡＣＤ自体の属性情報が提供される。現在、ある新たな機能についてのＡＣＤが追加されるが、そのＡＣＤが過去のドライブシステムでまたは現在のドライブシステムで支援しないならば、認識不能なＡＣＤとなる。現在、ある新たな機能についてのＡＣＤが追加される時点では、現在作られるドライブシステムの状況と過去のドライブシステムの状況とをいずれも知っているので、前記ある新たな機能についてのＡＣＤが記録された媒体がそのＡＣＤを知らないドライブシステム（過去のドライブシステムまたはそのＡＣＤを支援しない現在のドライブシステムをいずれも含む）にローディングされて再初期化されるとき、前記ＡＣＤを削除するか否か、または削除如何に関係ないかを表すＡＣＤ属性情報を現在のＡＣＤを作る時点に提供できる。また、かかるＡＣＤ属性情報は、ＡＣＤ＿ＩＤのように固有番号を付与することによって区分して変更不能に固定されるように提供するか、または媒体の使用途中で、このＡＣＤを知っているドライブシステム内で前記ＡＣＤ内の情報をユーザまたはドライブシステムにより設定されるとき、ユーザの意図またはドライブシステムの状況に合わせて変更可能に提供できる。このＡＣＤ属性情報を変更可能にするためには、例えばＡＣＤの知らない機能に対する行為を規定した共通情報中にこのＡＣＤ属性情報に関するフィールドを設けることによって具現できる。
【００２４】
図２は、本発明が適用されるディスクの構造図である。図２に示すように、本発明が適用されるディスク１００は、リードイン領域１１０、データ領域１２０及びリードアウト領域１３０が連続的に設けられる。
【００２５】
リードイン領域１１０は、ディスクの製造時に所定のデータが予め記録されて再生専用でのみ使われる予め記録された領域１１１、テスト領域１１２、予約領域＃２  １１３、アクセス制御領域１１４、ＤＭＡ＃２  １１５、予約領域＃１１１６、ＤＭＡ＃１  １１７を備える。テスト領域１１２、予約領域＃２  １１３、アクセス制御領域１１４、ＤＭＡ＃２  １１５、予約領域＃１  １１６、ＤＭＡ＃１１１７は、データの記録及び変更可能な記録可能な領域である。
【００２６】
予め記録された領域１１１は、ディスクの製造時にディスク自体の情報が予め記録される。例えば、ディスクを識別するディスク製造番号などのディスクＩＤなどが記録される。
【００２７】
テスト領域１１２は、このディスク１００に最適の記録条件で記録するために、記録パワーなどをテストする領域である。
【００２８】
予約領域＃１  １１６、予約領域＃２  １１３は、今後、規格の拡張を対備するために予約された領域である。すなわち、規格の制定時、未来の拡張性を考慮して、現在のドライブシステムでは使われないが、未来のドライブシステムのために使われうる領域を予め確保するための方案として、現在のドライブシステムのための規格を制定するとき、リードイン領域またはリードアウト領域にこのように一つまたは複数の予約領域を予め設けうる。
【００２９】
アクセス制御領域１１４は、今後、追加される新たな機能に対してドライブシステムの動作を規定した情報を記録するための領域である。すなわち、所定の機能を知らないドライブシステムであっても、このディスク１００へのアクセス制御を行わせる共通情報が記録された領域である。アクセス制御領域については、図４を参照して詳細に説明する。
【００３０】
ＤＭＡ＃１  １１７、ＤＭＡ＃２  １１５は、欠陥管理領域であって、ユーザデータ領域１２２に発生した欠陥に関する情報を記録するための領域である。これについては、図３Ａを参照して詳細に説明する。
【００３１】
データ領域１２０は、スペア領域＃０  １２１、ユーザデータ領域１２２及びスペア領域＃１  １２３を備える。
【００３２】
ユーザデータ領域１２２は、ユーザデータが記録される領域である。
【００３３】
スペア領域＃０  １２１、スペア領域＃１  １２３は、ユーザデータ領域１２２に発生した欠陥ブロックを代替する代替ブロックのために設けられた領域である。かかるスペア領域は、ディスクの初期化時または再初期化時にデータ領域に割り当てられる。
【００３４】
リードアウト領域１３０は、ＤＭＡ＃３  １３１及びＤＭＡ＃４  １３２を備える。
【００３５】
図３Ａは、図２に示したＤＭＡ＃１の細部的な構造図である。図３Ａに示すように、ＤＭＡ＃１  １１７は、ＤＤＳ  ３１０及びＤＦＬ  ３２０を備える。
【００３６】
ＤＦＬ  ３２０は、欠陥リスト（ディフェクト  リスト）であって、ユーザデータ領域で発生した欠陥に関する情報を含んでいる。例えば、欠陥リストは、ユーザデータ領域に、発生した欠陥ブロックのアドレス情報、この欠陥ブロックを代替する代替ブロックのアドレス情報、欠陥に関する状態情報などを含む。
【００３７】
ＤＤＳ  ３１０は、ディスク定義構造（ディスク  ディフィニション  ストラクチャ）であって、ディスク管理に関する情報を含んでいる。すなわち、ＤＤＳ  ３１０は、ディスクの初期化時または再初期化時に記録される情報として、スペア領域のサイズ情報３１１、ユーザデータ領域の開始及び終了アドレス情報３１２、及びＡＣＤ状態情報３１３を含んでいる。ドライブシステムは、ディスクの初期化または再初期化時にデータ領域にスペア領域を割り当て、データ領域中にユーザデータが記録されるユーザデータ領域を決定してから、これに関する情報をＤＤＳ  ４１０に記録する。
【００３８】
ＡＣＤ状態情報３１３は、アクセス制御領域に各ＡＣＤが記録されるＡＣＤブロックの記録状態や欠陥状態に関する情報を表す。図３Ｂに示すように、各ＡＣＤブロックの状態情報は、２ビットで構成される。
【００３９】
図３Ｂは、本発明によって、ＡＣＤ状態情報に含まれる状態を説明するための参考図である。図３Ｂに示すように、各ＡＣＤブロックの状態は、２ビットで表示され、四つの状態、すなわち“００”、“０１”、“１０”、“１１”を含む。
【００４０】
“００”は、ＡＣＤを記録可能な使用可能なＡＣＤブロックであることを表す。
【００４１】
“０１”は、欠陥ブロックであることを表すが、具体的には、アクセス制御領域にＡＣＤブロックを記録する途中で欠陥として発見されたブロック、有効でないＡＣＤが記録されたブロックであることを表す状態のうちいずれか一つを表す。
【００４２】
“１０”は、アクセス制御領域に記録されたＡＣＤを再生する途中で欠陥として発見されたが、有効なＡＣＤが記録されたブロックであることを表す。
【００４３】
“１１”は、有効なＡＣＤが記録されたブロックであることを表す。
【００４４】
このように、ＡＣＤを記録するためのアクセス制御領域のそれぞれのブロックの状態情報をＤＤＳに記録して管理すれば、ＡＣＤブロックを効果的に管理できる。物理的にアクセス制御領域に記録されたＡＣＤブロックは、ＡＣＤ＿ＩＤを有するが、このＡＣＤ＿ＩＤから、ドライブシステムはこのＡＣＤがどの機能に関するＡＣＤであるかが分かる。ＡＣＤブロックの再生時、ディスクがドライブにローディングされれば、ドライブは、ＤＤＳ内にあるそれぞれのＡＣＤブロックについての状態情報から有効なＡＣＤブロックが記録された位置が分かり、有効なＡＣＤブロックを再生する。
【００４５】
再初期化前に、ＡＣＤブロックの状態情報がＤＤＳ内に有効なＡＣＤが記録されていると表示されているならば、そのブロックは良好なブロックである。再初期化以後、そのＡＣＤブロックに記録されているＡＣＤは、それ以上不要であるため、そのブロックについての状態情報は、有効なＡＣＤが記録されず、今後、ＡＣＤを記録するために使用できるということを表すために、状態情報が変更されねばならない。もし、再初期化の間に、ＤＤＳ内にある有効なＡＣＤブロックについての状態情報を変更しなければ、今後、ドライブは、ＤＤＳ内にある有効なＡＣＤブロックが記録されているという状態情報からＡＣＤブロックを再生する。したがって、ディスクの再初期化時には、かかるＡＣＤブロックの状態情報のアップデートが要求される。また、再初期化により、そのＡＣＤはそれ以上有効でない情報であるため、ドライブシステムは、前記ＡＣＤから誤った情報を得て問題を起こしうる。したがって、再初期化過程で、ＤＤＳ内にあるＡＣＤブロックについての状態情報を変更するだけでなく、アクセス制御領域に記録されているＡＣＤブロックの全部またはＡＣＤブロックのＡＣＤ＿ＩＤのみを“００ｈ”または“ＦＦｈ”のような値として再記録して物理的に消去することも必要である。
【００４６】
図４は、図２に示したアクセス制御領域の細部的な構造図であって、ＡＣＤの第１例を示す。ＡＣＤの第１例では、ＡＣＤ属性情報がＡＣＤ＿ＩＤに内在されて区別される。すなわち、ＡＣＤ＿ＩＤにより、このＡＣＤがいかなる機能に関するＡＣＤであるか識別できるだけでなく、このＡＣＤの属性情報が何を表すかも区別できる。
【００４７】
図４に示すように、アクセス制御領域１１４は、ＡＣＤ＃１，ＡＣＤ＃２，ＡＣＤ＃３，…を備える。
【００４８】
アクセス制御領域１１４は、前述したように、既存の規格であっても、新たな機能が追加された新たな規格であっても、このディスクへのアクセス制御のための共通情報が記録される領域を意味する。すなわち、既存の規格と新たな機能が追加された新たな規格で使用するあらゆる機能に共通的に適用される共通的な情報テーブルを記録するための領域である。各ＡＣＤが各機能に関する共通情報テーブルを構成する。すなわち、ＡＣＤ＃１は、“機能１”に関する共通情報テーブルを構成し、ＡＣＤ＃２は、“機能２”に関する共通情報テーブルを構成し、ＡＣＤ＃３は、“機能３”に関する共通情報テーブルを構成する。ここで、例えば、機能１は、ドライブシステムが認識可能な機能であり、機能２及び機能３は、ドライブシステムが認識不能な機能でありうる。もちろん、各ＡＣＤは、あらゆる規格のドライブシステムが共通的に認識可能な共通情報外に、そのＡＣＤの機能を認識しているドライブシステムのみが認識可能な個別情報も含みうる。
【００４９】
ＡＣＤ＃１  ４００は、共通情報４１０及び個別情報４２０を含む。
【００５０】
共通情報４１０は、このＡＣＤを識別するための識別子であるＡＣＤ＿ＩＤ  ４１１、フォーマット可能如何を表すフォーマット可能如何情報４１２、ＤＤＳを除いたＤＭＡの記録が可能であるか、再生のみが可能であるかを表すＤＭＡ記録／再生可能如何情報４１３、スペア領域の記録が可能であるか、再生のみが可能であるかを表すスペア領域記録／再生可能如何情報４１４、ユーザデータ領域の記録が可能であるか、再生のみが可能であるかを表すユーザデータ領域記録／再生可能如何情報４１５、予約領域＃１の記録が可能であるか、再生のみが可能であるかを表す予約領域＃１記録／再生可能如何情報４１６、予約領域＃２の記録が可能であるか、再生のみが可能であるかを表す予約領域＃２記録／再生可能如何情報４１７を含む。かかるフォーマット可能如何情報４１２、ＤＭＡ記録／再生可能如何情報４１３、スペア領域記録／再生可能如何情報４１４、ユーザデータ領域記録／再生可能如何情報４１５、予約領域＃１記録／再生可能如何情報４１６、予約領域＃２記録／再生可能如何情報４１７が共通情報フィールドを構成する。
【００５１】
ドライブシステムは、ＡＣＤ＿ＩＤ  ４１１を確認することによって、このＡＣＤが認識可能な機能に関するものであるか、認識不能な機能に関するものであるかを判断できる。すなわち、ＡＣＤ＿ＩＤ  ４１１がドライブシステムが知っている識別子であれば、このＡＣＤは、ドライブシステムが認識可能な機能に関するものであり、ドライブシステムが知らない識別子であれば、このＡＣＤは、ドライブシステムが認識不能な機能に関するものである。
【００５２】
また、ドライブシステムは、前記ＡＣＤ＿ＩＤ  ４１１を認識できなくても、前記共通情報テーブルに入っているフィールドを確認することによって、ドライブシステムが認識不能な機能に対しても最小限の適切な動作を行える。
【００５３】
図４に示したＡＣＤのフォーマットは、本発明の第１例によってＡＣＤ自体の固定された属性情報を表すためのフォーマットである。第１例では、ＡＣＤ＿ＩＤ自体にＡＣＤ属性情報が内在されるため、ＡＣＤ属性情報を変更可能な構造ではなく、したがって、ＡＣＤ属性情報が固定される。ＡＣＤ自体の固定された属性情報とは、ＡＣＤが作られる当時に、そのＡＣＤが再初期化時に削除されるか否か、または削除如何に関係ないかなどの属性が決定されるということである。すなわち、ＡＣＤ自体の固定された属性情報は、ＡＣＤが記録されるときにその属性が決定されて、再初期化時にその属性情報の変更が不能であるということを意味する。もちろん、かかるＡＣＤ自体の固定された属性情報は、再初期化時にその機能を知らない場合に適用することが望ましい。なぜなら、知っている機能は、ユーザまたはドライブシステムにより再初期化される状況とそのＡＣＤの機能とに合わせてＡＣＤ内の値を修正するか、または不要ならば削除可能であるが、知らない機能である場合、ＡＣＤ内の情報の適切な値を設定できなくて修正できず、知らない機能に対する行為を規定した共通情報内の情報に設定された値のみを参照して動作するだけであるためである。
【００５４】
本発明によってＡＣＤの第１例において、ＡＣＤ＿ＩＤ  ４１１は、ＡＣＤ自体の属性情報が内在された概念である。すなわち、ＡＣＤ＿ＩＤにより所定機能についての識別子を表すだけでなく、ＡＣＤ自体の属性情報を表す。これについて、図７を参照して説明する。
【００５５】
図７は、図４に示したＡＣＤの第１例で、ＡＣＤ自体の属性情報の意味が含まれたＡＣＤ＿ＩＤを説明するための参考図である。図７に示すように、ＡＣＤ＿ＩＤ  ４１１は、ＡＣＤ自体の属性情報を表す一つの方法で、ディスクの再初期化時に削除されねばならないＡＣＤ、再初期化時に削除されてはならないＡＣＤ、再初期化時に削除如何に関係ないＡＣＤに分けられる。例えば、ＡＣＤ＿ＩＤ  ４１１が１バイトと設定されているとすれば、２５６種類の識別子を構成できる。そのうち、ＡＣＤ＿ＩＤの値が０ないし９９である場合には、再初期化時に認識不能なＡＣＤである場合、削除されねばならないＡＣＤを表し、ＡＣＤ＿ＩＤの値が１００ないし１９９である場合には、再初期化時に認識不能なＡＣＤである場合、削除されてはならないＡＣＤを表し、ＡＣＤ＿ＩＤの値が２００ないし２５５である場合には、再初期化時に認識不能なＡＣＤである場合、削除如何に関係なく問題を起こさないＡＣＤを表す。
【００５６】
図５は、図２に示したアクセス制御領域の細部的な構造図であって、ＡＣＤの第２例を示す。ＡＣＤの第２例では、ＡＣＤ属性情報がＡＣＤ＿ＩＤを表すためのフィールドに前記ＡＣＤ＿ＩＤと別途に区別されて提供される。第２例の場合にも、ＡＣＤ属性情報は固定されて変更できない。図５に示すように、アクセス制御領域１１４は、ＡＣＤ＃１，ＡＣＤ＃２，ＡＣＤ＃３，…を備える。
【００５７】
ＡＣＤ＃１  ５００は、共通情報５１０及び個別情報５２０を含む。
【００５８】
共通情報５１０は、このＡＣＤを識別するための識別子であるＡＣＤ＿ＩＤ  ５１１、ＡＣＤ自体の属性情報５１２、フォーマット可能如何情報５１３、ＤＤＳを除いたＤＭＡの記録が可能であるか、再生のみが可能であるかを表すＤＭＡ記録／再生可能如何情報５１４、スペア領域記録／再生可能如何情報５１５、ユーザデータ領域記録／再生可能如何情報５１６、予約領域＃１記録／再生可能如何情報５１７、予約領域＃２記録／再生可能如何情報５１８を含む。
【００５９】
図８は、図５に示したＡＣＤの第２例でＡＣＤ自体の属性情報を説明するための参考図である。図８に示すように、ＡＣＤ自体の属性情報５１２は、ＡＣＤ自体の属性情報を表す一つの方法で、ＡＣＤ＿ＩＤとは別途に固定された値を前記ＡＣＤに付与することによって可能である。ＡＣＤの再初期化時の属性を本発明では三つを提示したので、そこに基づいて２ビットを割り当てて表すことができる。例えば、“００ｂ”は、再初期化時に削除如何に関係ないＡＣＤを表し、“０１ｂ”は、再初期化時に削除されねばならないＡＣＤを表し、“１０ｂ”は、再初期化時に削除されてはならないＡＣＤを表し、“１１ｂ”は、予約のために残す。
【００６０】
図６は、図２に示したアクセス制御領域の細部的な構造図であって、ＡＣＤの第３例を示す。ＡＣＤの第３例では、ＡＣＤ属性情報がＡＣＤの共通情報フィールドの一つのフィールドに入る。そして、このように、共通情報フィールドの一つのフィールドに含まれるので、第３例ではＡＣＤ属性情報の変更が可能である。図６に示すように、アクセス制御領域１１４は、ＡＣＤ＃１，ＡＣＤ＃２，ＡＣＤ＃３，…を備える。
【００６１】
ＡＣＤ＃１  ６００は、共通情報６１０及び個別情報６２０を含む。
【００６２】
共通情報６１０は、このＡＣＤを識別するための識別子であるＡＣＤ＿ＩＤ  ６１１、ＡＣＤ自体の属性情報６１２、フォーマット可能如何情報６１３、ＤＤＳを除いたＤＭＡの記録が可能であるか、再生のみが可能であるかを表すＤＭＡ記録／再生可能如何情報６１４、スペア領域記録／再生可能如何情報６１５、ユーザデータ領域記録／再生可能如何情報６１６、予約領域＃１記録／再生可能如何情報６１７、予約領域＃２記録／再生可能如何情報６１８を含む。
【００６３】
図６に示したＡＣＤのフォーマットは、本発明の第３例によってＡＣＤ自体の変更可能な属性情報を表すためのフォーマットである。ＡＣＤ自体の変更可能な属性情報とは、ＡＣＤを使用する途中でそのＡＣＤ内に設定された値や、ユーザまたはドライブシステムの状況に合わせて、前記ＡＣＤ自体の属性情報が変更されて決定されるということを意味する。すなわち、ＡＣＤ自体の変更可能な属性情報とは、前記ＡＣＤを使用する途中の状況に合わせて再初期化時の属性が決定されるということである。
【００６４】
図６のＡＣＤ自体の属性情報を表す一つの方法で、図５に示した第２例と同様に、図８に示したように、ＡＣＤ＿ＩＤとは別途に２ビットを設定して表す。例えば、“００ｂ”は、再初期化時に削除如何に関係ないＡＣＤを表し、“０１ｂ”は、再初期化時に削除されねばならないＡＣＤを表し、“１０ｂ”は、再初期化時に削除されてはならないＡＣＤを表し、“１１ｂ”は、予約のために残す。ただし、図５に示した第２例では、ＡＣＤ自体の属性情報が、ＡＣＤが作られるときに決まって以後に変更不能な固定された情報である一方、図６のＡＣＤ自体の属性情報は、知らない機能のための行為を規定した共通情報の一つのフィールドであって、前記ＡＣＤ内に設定された値が変更されて保存されるか、あるいはユーザの意図またはドライブシステムの状況に合わせてそのＡＣＤ自体の属性情報が変更されて保存されうることを表す。
【００６５】
以下、再初期化時に削除されねばならないＡＣＤの一例を説明する。
【００６６】
もし、ユーザがドライブシステムＢで媒体上にデータを記録した後、記録されたデータに“Ｒｅａｄ  Ｐｒｏｔｅｃｔｉｏｎ（再生保護）”機能を設定しようとして、Ｒｅａｄ  Ｐｒｏｔｅｃｔｉｏｎ  ＡＣＤを媒体上に記録して前記データに対するＲｅａｄ  Ｐｒｏｔｅｃｔｉｏｎを設定したとする。今後、前記媒体がＲｅａｄ  Ｐｒｏｔｅｃｔｉｏｎ  ＡＣＤを知らないドライブシステムＡにローディングされ、また、新たなユーザがこの媒体を再初期化しようとする場合（このとき、もちろん、この媒体の状態が再初期化可能な状態に設定されている場合）、前記Ｒｅａｄ  Ｐｒｏｔｅｃｔｉｏｎ  ＡＣＤは削除されねばならない。なぜなら、ドライブシステムＡがＲｅａｄ  Ｐｒｏｔｅｃｔｉｏｎ  ＡＣＤを再初期化時に削除しないならば、今後、前記再初期化されたディスク上にあるデータを記録して再生しようとする場合、このディスク上のアクセス制御領域には、Ｒｅａｄ  Ｐｒｏｔｅｃｔｉｏｎ  ＡＣＤが記録されているため、ドライブシステムＡは、前記知らないＲｅａｄ  Ｐｒｏｔｅｃｔｉｏｎ  ＡＣＤの共通情報内に設定された値によって動作するためである。しかし、Ｒｅａｄ  Ｐｒｏｔｅｃｔｉｏｎ  ＡＣＤの目的自体がデータの再生を保護するためであるので、ドライブシステムが知らない機能ならば、そのデータは再生されず、また、知っている機能であるとしても、パスワードのような安全装置を通過した後にデータを再生できるが、新たなユーザがパスワードを知ることができないためである。
【００６７】
以下では、再初期化時に削除されてはならないＡＣＤの一例を説明する。
【００６８】
現在の規格Ａの制定時、未来規格Ｂの拡張性を保証するために予約領域を備えうる。この場合、もし、未来規格Ｂで前記図２に示した予約領域＃１を“Ｕｓｅｒ  ｓｐｅｃｉｆｉｃ  ａｒｅａ”として使用するならば、一例として、一人または複数のユーザのためのディスクを効率的に使用するための、またはユーザの特性に合う情報を保存するための空間として使われ、また、このためのＵｓｅｒ  ｓｐｅｃｉｆｉｃ  ＡＣＤが作られたとしたとき、前記Ｕｓｅｒ  ｓｐｅｃｉｆｉｃ  ＡＣＤが記録された媒体が前記Ｕｓｅｒ  ｓｐｅｃｉｆｉｃ  ＡＣＤを知らないドライブシステムＡにローディングされたとき、前記Ｕｓｅｒ  ｓｐｅｃｉｆｉｃ  ＡＣＤは、ディスクの再初期化時に削除されてはならない。これは、既にＵｓｅｒ  ｓｐｅｃｉｆｉｃ  ＡＣＤの共通情報にある予約領域＃１のための記録／再生可能如何情報は、この機能を知らないドライブシステムの行為を規定するために適切な値（記録／再生禁止）が設定されているため、敢えてこのＡＣＤを再初期化時に削除しなくても、再初期化以後にいかなる問題も起こさず、また、そのまま置くならば、今後、再初期化されたディスクがＵｓｅｒ  ｓｐｅｃｉｆｉｃ  ＡＣＤを知っているドライブシステムにローディングされたとき、ユーザはこれを活用できるためである。
【００６９】
図９は、本発明によって再初期化を行う記録／再生装置の概略的なブロック図である。図９に示すように、記録／再生装置は、書き込み／読み取り部２及び制御部１を備える。
【００７０】
書き込み／読み取り部２は、ピックアップなどを備えて本発明が適用される光記録の情報記録媒体であるディスク１００に／からデータを書き込み／読み取りする。
【００７１】
制御部１は、所定のファイルシステムによって、ディスク１００に／からデータを書き込み／読み取りするように書き込み／読み取り部２を制御する。特に、本発明による制御部１は、空いているディスクがローディングされた場合に初期化を行うように制御し、既に使われたディスクがローディングされた場合に再初期化を行うように制御する。
【００７２】
制御部１は、システム制御器１０、ホストＩ／Ｆ  ２０、ＤＳＰ  ３０、ＲＦ  ＡＭＰ  ４０及びサーボ５０を備える。
【００７３】
記録時、ホストＩ／Ｆ  ２０は、ホスト３から所定の記録命令を受信してそれをシステム制御器１０へ伝送する。システム制御器１０は、かかるホストＩ／Ｆ  ２０から受信された記録命令を行うために、ＤＳＰ  ３０とサーボ５０とを制御する。ＤＳＰ  ３０は、ホストＩ／Ｆ  ２０から受けた記録するデータにエラー訂正のためにパリティなど付加データを添加し、ＥＣＣ（エラー  コレクション  コード）エンコーディングを行ってエラー訂正ブロックであるＥＣＣブロックを生成した後、それを既定の方式で変調する。ＲＦ  ＡＭＰ  ４０は、ＤＳＰ  ３０から出力されたデータをＲＦ信号に変える。ピックアップを備えた書き込み／読み取り部２は、ＲＦ  ＡＭＰ  ４０から伝送されたＲＦ信号をディスク１００に記録する。サーボ５０は、システム制御器１０からサーボ制御に必要な命令を入力されて書き込み／読み取り部２のピックアップをサーボ制御する。特に、本発明によって、システム制御器は、ＡＣＤにＡＣＤ属性情報を含めて構成し、このように構成されたＡＣＤをディスクに設けられたＡＣＤに記録するように制御する。かかるＡＣＤ属性情報は、ＡＣＤ＿ＩＤに内在させて表すこともあり、または、ＡＣＤの共通情報のうち一つのフィールドとして含めることもある。また、システム制御器は、ディスクの再初期化時にかかるＡＣＤ属性情報を参照してＡＣＤを削除するか否かを決定する。
【００７４】
再生時、ホストＩ／Ｆ  ２０は、ホスト３から再生命令を受ける。システム制御器１０は、再生に必要な初期化を行う。書き込み／読み取り部２は、ディスク１００にレーザビームを照射し、ディスク１００から反射されたレーザビームを受光して得られた光信号を出力する。ＲＦ  ＡＭＰ  ４０は、書き込み／読み取り部２から出力された光信号をＲＦ信号に変え、ＲＦ信号から得られた変調されたデータをＤＳＰ  ３０に提供する一方、ＲＦ信号から得られた制御のためのサーボ信号をサーボ５０に提供する。ＤＳＰ  ３０は、変調されたデータを復調し、ＥＣＣエラー訂正を経て得られたデータを出力する。一方、サーボ５０は、ＲＦ  ＡＭＰ  ４０から受けたサーボ信号とシステム制御器１０から受けたサーボ制御に必要な命令とを受けてピックアップに対するサーボ制御を行う。ホストＩ／Ｆ  ２０は、ＤＳＰ  ３０から受けたデータをホストに送る。システム制御器１０は、再生制御のためにディスク管理情報や欠陥に関する情報をディスクから読み取って、欠陥のないデータが記録された位置からデータを読み取るようにサーボを制御する。
【００７５】
図９に示した記録／再生装置は、個別的な記録装置及び再生装置で具現されうるか、または一つの記録及び再生装置で具現されうる。
【００７６】
図１０は、本発明による再記録媒体の再初期化方法の過程を示すフローチャートである。図１０に示すように、まず、ドライブシステムに既に使われたディスク１００がローディングされて（ステップ１０１０）、ドライブシステムのシステム制御器１０は、ホストＩ／Ｆ  ２０を通じてホスト３からディスク再初期化命令を受信する（ステップ１０２０）。
【００７７】
これにより、まず、システム制御器１０は、ディスク１００のリードイン領域に設けられたＤＭＡ及びアクセス制御領域に含まれている情報を読み取るように書き込み／読み取り部２を制御してこの情報を持ってきて（ステップ１０３０）、かかる情報がディスクの再初期化を許容するか否かを判断する（ステップ１０４０）。
【００７８】
システム制御器１０の判断結果、再初期化を許容しない場合には、ホストＩ／Ｆ  ２０を通じてホスト３へエラーメッセージを伝送する（ステップ１０８０）。
【００７９】
しかし、システム制御器１０の判断結果、再初期化が許容された場合に、システム制御器１０は、ディスク１００のデータ領域内でスペア領域を割り当ててサイズを決定し、データ領域のうち、ユーザデータが記録されるユーザデータ領域を割り当ててユーザデータ領域の開始アドレス及び終了アドレスを決定する（１０５０）。
【００８０】
次いで、システム制御器１０は、アクセス制御領域と関連した再初期化を行う。すなわち、アクセス制御領域に含まれているＡＣＤを削除するか、そのまま置くか、またはアップデートする。具体的に、システム制御器１０は、本発明によって、認識不能なＡＣＤである場合には、ＡＣＤ自体の属性情報を参照してこのＡＣＤを削除するか、またはそのまま置く。ＡＣＤ自体の属性情報については、図７及び図８を参照して説明した通りである。そして、認識可能なＡＣＤである場合には、ユーザまたはドライブの意図によってＡＣＤをアップデートまたは削除できる。
【００８１】
また、このようにＡＣＤを削除または変更した後には、これによってＤＤＳに含まれているＡＣＤ状態情報をアップデートする。ＡＣＤをアップデートまたは変更した場合には、依然としてＡＣＤブロックに有効なデータが含まれているので、ＡＣＤ状態情報はそのまま置けばよく、ＡＣＤを削除した場合には、このＡＣＤブロックにそれ以上有効なデータが含まれず、新たなＡＣＤブロックの記録のために使用可能な状態であることを表す情報でアップデートする。
【００８２】
次いで、システム制御器１０は、ディスク１００のリードイン領域にあるＤＭＡをクリアした後、前記スペア領域割り当て情報、ユーザデータ領域のサイズ情報及びアップデートされたＡＣＤブロック状態情報を含むＤＤＳ、初期欠陥リストである初期ＤＦＬを記録するようにＤＭＡに書き込み／読み取り部２及びサーボ５０を制御する（ステップ１０７０）。
【００８３】
そして、システム制御器１０は、ユーザデータ領域に記録されているデータについての管理情報を再初期化するために、記録されているファイルシステムがホストの記録命令により再初期化されてユーザデータ領域に記録するように制御する（ステップ１０９０）。
【００８４】
前述したような記録方法及び再初期化方法は、また、コンピュータで読み取り可能な記録媒体にコンピュータで読み取り可能なコードとして具現することが可能である。コンピュータで読み取り可能な記録媒体は、コンピュータシステムにより読み取られるデータが保存されるあらゆる種類の記録装置を含む。コンピュータで読み取り可能な記録媒体の例としては、ＲＯＭ（リード  オンリー  メモリ）、ＲＡＭ（ランダム  アクセス  メモリ）、ＣＤ−ＲＯＭ、磁気テープ、フロッピー（登録商標）ディスク、光データ保存装置などがあり、またキャリアウェーブ（例えば、インターネットを通じた伝送）の形態で具現されるものも含む。また、コンピュータで読み取り可能な記録媒体は、ネットワークに連結されたコンピュータシステムに分散され、分散方式でコンピュータで読み取り可能なコードが保存されて実行されうる。そして、前記方法を具現するための機能的なプログラム、コード及びコードセグメントは、本発明が属する技術分野のプログラマにより容易に推論されうる。
【００８５】
これまで、本発明について、その望ましい実施形態を中心に述べた。当業者は、本発明が、本発明の本質的な特性から逸脱しない範囲で、変形された形態に具現可能であるということを理解できるであろう。したがって、開示された実施形態は、限定的な観点ではなく、説明的な観点で考慮されねばならない。本発明の範囲は、前述した説明ではなく、特許請求の範囲に表れており、それと同等な範囲内にあるあらゆる差異点は、本発明に含まれていると解釈されねばならない。
【産業上の利用可能性】
【００８６】
本発明は、情報記録媒体、記録／再生装置及び記録／再生方法関連の技術分野に適用可能である。
【図面の簡単な説明】
【００８７】
【図１】従来技術によって異なる規格のディスク間の互換性を説明するための参考図である。
【図２】本発明による光記録の情報記録媒体の構造図である。
【図３Ａ】図２に示したＤＭＡ＃１の細部的な構造図の一例を示す図である。
【図３Ｂ】図３Ａに示したＡＣＤブロック状態情報の例を示す図である。
【図４】図２に示したアクセス制御領域の細部的な構造図であって、ＡＣＤの第１例を示す図である。
【図５】図２に示したアクセス制御領域の細部的な構造図であって、ＡＣＤの第２例を示す図である。
【図６】図２に示したアクセス制御領域の細部的な構造図であって、ＡＣＤの第３例を示す図である。
【図７】図４に示したＡＣＤの第１例で、ＡＣＤ自体の属性情報の意味が含まれたＡＣＤ＿ＩＤを説明するための参考図である。
【図８】図５及び図６に示したＡＣＤ自体の属性情報フィールドを説明するための参考図である。
【図９】本発明によって初期化または再初期化を行う記録／再生装置の概略的なブロック図である。
【図１０】本発明による再初期化方法の過程を示すフローチャートである。
【図１】
2008503848.tif 000003
【図２】
2008503848.tif 000004
【図３Ａ】
2008503848.tif 000005
【図３Ｂ】
2008503848.tif 000006
【図４】
2008503848.tif 000007
【図５】
2008503848.tif 000008
【図６】
2008503848.tif 000009
【図７】
2008503848.tif 000010
【図８】
2008503848.tif 000011
【図９】
2008503848.tif 000012
【図１０】
2008503848.tif 000013
【国際調査報告】
2008503848.tif 000014
2008503848.tif 000015